(57)【特許請求の範囲】
【請求項１】
上方へ膨出する屋根部を有するシートと、
前記屋根部の外面に沿って形成されたスリーブに通されて前記屋根部を支持して膨出形状に維持するポールと、
前記シートの縁部に設けられて前記ポールの端部を係止するポール係止部と、
を備え、
前記ポール係止部は、
前記シートの縁部に縫い付けた帯状の生地からなる係止帯部と、
帯状の生地の中間部を前記係止帯部に重ね合わせて両端を折り返して前記スリーブの端部近傍に縫い付けた連結帯部と、
前記係止帯部と前記連結帯部との重ね合わせ箇所に加締められ、前記スリーブの端部から突出する前記ポールの端部が挿入される環状のハトメ金具と、
を有するテント。
【請求項２】
前記スリーブの端部には、その外周を覆うように縫い付けられた厚手の生地からなる補強スリーブが設けられ、前記連結帯部は、前記補強スリーブに縫い付けられている請求項１に記載のテント。
【請求項３】
前記ハトメ金具は、前記ポールの端部の挿入側が、外縁側から内縁側へ向かって前記ポールの挿入方向へ次第に傾斜するすり鉢形状に形成されている請求項１または請求項２に記載のテント。
【発明の詳細な説明】
【技術分野】
【０００１】
本発明は、ドーム状の屋根を支持するポールを備えたテントに関する。
【背景技術】
【０００２】
ドーム型のテントは、ドーム状の屋根を支持するためのポールを有しており、このポールは、その端部が、テントのシートの角部に設けられた袋とじ部に挿し込まれて係止される（例えば、特許文献１参照）。
【先行技術文献】
【特許文献】
【０００３】
【特許文献１】特許第３９２２４９６号公報
【発明の概要】
【発明が解決しようとする課題】
【０００４】
一般的に、袋とじ部に小石、雪あるいは氷などの異物が詰まっていると、その異物がポールと袋とじ部との間に挟まり、設営が困難となることがある。
これに対して、上記特許文献１に記載のテントでは、袋とじ部の一部の隙間から異物を取り除いて詰まりを解消することができる。
しかし、特許文献１に記載のテントであっても、袋とじ部が岩などに接触すると、この袋とじ部に挿し込んだポールと岩との間に袋とじ部の繊維部分が挟まり、特に、風でテントが揺れることで、ポールと岩で挟まれた袋とじ部の繊維部分が摩耗して損傷するおそれがある。
しかも、ポールの末端が袋とじ部で覆われるため、テントの設置面に敷くグランドシートなどのオプション品をポールに連結しづらい。このため、テントの角部にオプション品を連結するための別パーツを設けなければならず、コストアップや重量の増加を招き、また、別パーツが破損してオプション品の装着が困難となるおそれがある。
【０００５】
本発明は、上記事情に鑑みてなされたもので、損傷等の不具合なくかつ別パーツを設けることによるコストアップ、重量増大あるいはオプション品の装着不良などの不具合を招くことなく容易に設営することができるテントを提供することを目的としている。
【課題を解決するための手段】
【０００６】
上記目的を達成するために、本発明のテントは、
上方へ膨出する屋根部を有するシートと、
前記屋根部の外面に沿って形成されたスリーブに通されて前記屋根部を支持して膨出形状に維持するポールと、
前記シートの縁部に設けられて前記ポールの端部を係止するポール係止部と、
を備え、
前記ポール係止部は、
前記シートの縁部に縫い付けた帯状の生地からなる係止帯部と、
帯状の生地の中間部を前記係止帯部に重ね合わせて両端を折り返して前記スリーブの端部近傍に縫い付けた連結帯部と、
前記係止帯部と前記連結帯部との重ね合わせ箇所に加締められ、前記スリーブの端部から突出する前記ポールの端部が挿入される環状のハトメ金具と、
を有する。
【０００７】
この構成のテントによれば、係止帯部と連結帯部との重ね合わせ箇所に加締められたハトメ金具にスリーブの端部から突出するポールの端部を挿入して係止させる構造であるので、袋とじ部にポールを挿し込む構造のように、ポールと繊維部分に異物が挟まるような不具合を抑制でき、容易に設営することができる。また、ハトメ金具に挿通されたポールの端部が岩に接触することとなるので、繊維部分がポールと岩との間で挟まって損傷するような不具合も抑制できる。しかも、設置面に敷くグランドシートなどのオプション品をポールの端部に係止させることができるので、オプション品の連結のための別パーツを不要にできる。したがって、別パーツを設けることによるコストアップ、重量増大あるいはオプション品の装着不良などの不具合を招くことなく円滑に設営することができる。
また、係止帯部をシートの縁部に縫い付け、係止帯部と連結帯部との重ね合わせ箇所にハトメ金具を加締め、連結帯部をスリーブに縫い付けることで容易に製造でき、しかも、ハトメ金具を容易に交換できる。
【０００８】
また、本発明のテントは、前記スリーブの端部には、その外周を覆うように縫い付けられた厚手の生地からなる補強スリーブが設けられ、前記連結帯部は、前記補強スリーブに縫い付けられていても良い。
【０００９】
この構成のテントによれば、スリーブの端部に縫い付けられた厚手の補強スリーブに連結帯部を縫い付けたので、ポールの弾性力が作用するポール係止部の耐久性を高めることができる。
【００１０】
また、本発明のテントは、前記ハトメ金具の前記ポールの端部の挿入側が、外縁側から内縁側へ向かって前記ポールの挿入方向へ次第に傾斜するすり鉢形状に形成されていても良い。
【００１１】
この構成によれば、ハトメ金具におけるポールの端部の挿入側が、外縁側から内縁側へ向かってポールの挿入方向へ次第に傾斜するすり鉢形状に形成されているので、スリーブへ挿し込んだポールの端部をすり鉢形状部分でハトメ金具の中心へ案内させて円滑に挿入させることができる。これにより、設営のさらなる円滑化が図れる。
【発明の効果】
【００１２】
本発明のテントによれば、損傷等の不具合なくかつ別パーツを設けることによるコストアップ、重量増大あるいはオプション品の装着不良などの不具合を招くことなく容易に設営することができるテントを提供できる。
【図面の簡単な説明】
【００１３】
【図１】本実施形態に係るテントを示す斜視図である。
【図２】テントのポール係止部の斜視図である。
【図３】テントのポール係止部の側面図である。
【図４】テントのポール係止部の拡大断面図である。
【発明を実施するための形態】
【００１４】
以下、本発明に係るテントの実施形態について図面を参照して説明する。
図１は、本実施形態に係るテントを示す斜視図である。図２は、テントのポール係止部の斜視図である。図３は、テントのポール係止部の側面図である。図４は、テントのポール係止部の拡大断面図である。
【００１５】
図１に示すように、本実施形態に係るテント１１は、ドーム状の屋根を有するドーム型テントである。このテント１１は、二本のポール１２と、シート１３とを有している。
【００１６】
ポール１２は、例えば、ジュラルミン等の軽合金や硬質合成樹脂から形成されている。これらのポール１２は、複数に分割されて折りたたみ可能とされている。
【００１７】
シート１３は、例えば、ナイロン等の合繊生地から形成されている。このシート１３は、底面シート部１５と、ドーム屋根部（屋根部）１６とを有している。シート１３は、広げられることで、底面シート部１５の上方が上方へ膨出するドーム状に広げられる。これにより、テント１１には、底面シート部１５の上部にドーム屋根部１６で覆われた室内空間Ｓが形成される。ドーム屋根部１６には、その一部に、開閉可能な扉部１８が設けられており、この扉部１８を開閉することで、室内空間Ｓに対して出入りが可能とされている。なお、シート１３としては、水を通さず空気を通す防水透湿性を備えた生地から形成したものでもよく、この場合、防水性を有するフライシートでシート１３を覆わなくても防水性を確保できる。
【００１８】
シート１３は、平面視矩形状に形成されており、ドーム屋根部１６には、その外面側に、対角線に沿うスリーブ２１が形成されている。スリーブ２１には、一方側の端部から挿し込まれたポール１２が挿通されている。シート１３は、スリーブ２１におけるポール１２の挿し込み側と反対側の端部が配置された角部にポール係止部２２を有している。また、シート１３は、スリーブ２１におけるポール１２の挿し込み側の端部が配置された角部にポール固定部２３を有している。
【００１９】
シート１３のドーム屋根部１６のスリーブ２１に挿通されたポール１２は、スリーブ２１への挿し込み側の端部がポール係止部２２に係止され、スリーブ２１への挿し込み側と反対側の端部がポール固定部２３に固定されている。これにより、ポール１２は、上方へ突出する円弧状に湾曲され、よって、シート１３のドーム屋根部１６は、ポール１２によって支持され、ドーム状に維持される。
【００２０】
図２から図４に示すように、ポール係止部２２は、係止帯部３１と、連結帯部３２と、ハトメ金具３３とを有している。
【００２１】
係止帯部３１は、長尺に形成された厚手の繊維からなる生地や厚手の合成樹脂製テープを二つ折りにして重ね合わせたもので、重ね合わせた両端部分からなる基端部がシート１３の角部の固定片１３ａに縫い付けられてシート１３に固定されている。この係止帯部３１は、表裏に貫通する挿通孔３１ａを有している。この係止帯部３１は、その先端部に固定ループ４１を有し、先端部近傍部分に係止ループ４２を有している。テント１１は、地面に打ち込んだペグ（図示略）を固定ループ４１に係止させることで、地面に固定される。また、テント１１は、例えば、フライシート（図示略）などのオプション品を係止ループ４２に係止させることで、オプション品を装着可能である。
【００２２】
連結帯部３２は、長尺に形成された厚手の繊維からなる生地や厚手の合成樹脂製テープであり、係止帯部３１に対して直交する向きに重ね合わされた中間部が係止帯部３１に固定されている。連結帯部３２は、その両端側が上方へ折り返されてスリーブ２１における端部近傍に縫い付けられている。スリーブ２１の端部には、その外周を覆うように縫い付けられた繊維からなる生地や厚手の合成樹脂製テープである補強スリーブ２１ａが設けられており、連結帯部３２は、この補強スリーブ２１ａに縫着されて固定されている。この連結帯部３２は、表裏に貫通する挿通孔３２ａを有しており、この挿通孔３２ａは、係止帯部３１の挿通孔３１ａに連通されている。
【００２３】
ハトメ金具３３は、スペーサ５１と、加締めリング５２と、下座金５３とを有しており、環状に形成されている。
【００２４】
スペーサ５１は、中心に孔部５１ａを有した環状に形成されている。スペーサ５１は、その孔部５１ａが係止帯部３１及び連結帯部３２の挿通孔３１ａ，３２ａと連通するように、連結帯部３２の上部に配置されている。
【００２５】
加締めリング５２は、環状に形成されたリング部５５と、筒状に形成された加締め筒部５６とを有している。加締めリング５２は、その加締め筒部５６を、スペーサ５１の孔部５１ａ、係止帯部３１及び連結帯部３２の挿通孔３１ａ，３２ａに挿通させるように、スペーサ５１の上方側から装着されている。加締めリング５２は、そのリング部５５の外縁部分に、スペーサ５１側へ突出する外筒部５５ａを有しており、この外筒部５５ａがスペーサ５１に当接されている。リング部５５は、外筒部５５ａを有する外縁側から加締め筒部５６を有する内縁側へ向かって次第にスペーサ５１側へ傾斜するすり鉢形状に形成されている。
【００２６】
下座金５３は、孔部５３ａを有した環状に形成されている。下座金５３は、その孔部５３ａが、スペーサ５１の孔部５１ａ、係止帯部３１及び連結帯部３２の挿通孔３１ａ，３２ａに連通するように、係止帯部３１の下面側に配置されている。この下座金５３の孔部５３ａにも、加締めリング５２の加締め筒部５６が挿通されている。加締めリング５２の加締め筒部５６は、その先端部が加締められて下座金５３の裏面側に広げられている。これにより、加締めリング５２の加締め筒部５６が下座金５３を係止する。したがって、係止帯部３１及び連結帯部３２の互いに重ね合わされた部分に、ハトメ金具３３が固定されている。
【００２７】
上記のハトメ金具３３には、ポール１２の端部が係止される。ポール１２は、加締めリング５２の加締め筒部５６の内径よりも大きな外径を有している。ポール１２は、その端部に、係止ピン部１２ａを有している。係止ピン部１２ａは、加締めリング５２の加締め筒部５６の内径よりも小さな外径を有している。
【００２８】
図１に示すように、ポール固定部２３は、固定帯部６１と、ハトメ金具６２とを有している。固定帯部６１は、係止帯部３１と同様に、長尺に形成された厚手の繊維からなる生地や厚手の合成樹脂製テープを二つ折りにして重ね合わせたもので、重ね合わせた両端部分からなる基端部がシート１３の角部の固定片１３ａに縫い付けられてシート１３に固定されている。この固定帯部６１も、その先端部に、地面に打ち込んだペグを係止させる固定ループ４１を有し、先端部近傍部分に、フライシートなどのオプション品を係止させる係止ループ４２を有している。ハトメ金具６２は、固定帯部６１に加締められて固定されている。なお、ハトメ金具６２は、ポール係止部２２のハトメ金具３３と同一構成であるので、説明を省略する。
【００２９】
テント１１を組み立てるべく、シート１３のスリーブ２１の一方側の端部から挿通されたポール１２は、その挿入側の端部の係止ピン部１２ａがポール係止部２２におけるハトメ金具３３の加締めリング５２の加締め筒部５６に挿入される。これにより、ポール１２は、その端部がポール係止部２２に係止される。ここで、ハトメ金具３３のリング部５５は、外縁側から内縁側へ向かって次第にスペーサ５１側へ傾斜するすり鉢形状に形成されている。つまり、ハトメ金具３３は、ポール１２の端部の挿入側が、外縁側から内縁側へ向かってポール１２の挿入方向へ次第に傾斜するすり鉢形状に形成されている。これにより、ポール１２は、その係止ピン部１２ａがすり鉢形状部分でハトメ金具３３の中心に案内されて加締め筒部５６へ円滑に挿入される。
【００３０】
シート１３のドーム屋根部１６のスリーブ２１に挿通されたポール１２は、スリーブ２１への挿し込み側と反対側の端部の係止ピン部１２ａがポール固定部２３におけるハトメ金具３３の加締めリング５２の加締め筒部５６に挿入される。これにより、ポール１２は、その挿し込み側と反対側の端部がポール固定部２３に固定される。したがって、ポール１２は、上方へ突出する円弧状に湾曲され、よって、シート１３のドーム屋根部１６が、ポール１２によって支持され、上方へ膨出するドーム状に維持される。
【００３１】
このように、本実施形態に係るテント１１によれば、係止帯部３１と連結帯部３２との重ね合わせ箇所に加締められたハトメ金具３３にスリーブ２１の端部から突出するポール１２の端部の係止ピン部１２ａを挿入して係止させる構造であるので、袋とじ部にポール１２を挿し込む構造のように、ポール１２と繊維部分に異物が挟まるような不具合を抑制でき、容易に設営することができる。また、ハトメ金具３３に挿通されたポール１２の端部が岩に接触することとなるので、繊維部分がポール１２と岩との間で挟まって損傷するような不具合も抑制できる。しかも、設置面に敷くグランドシートなどのオプション品をポール１２の端部に係止させることができるので、オプション品の連結のための別パーツを不要にできる。したがって、別パーツを設けることによるコストアップ、重量増大あるいはオプション品の装着不良などの不具合を招くことなく円滑に設営することができる。
【００３２】
また、係止帯部３１をシート１３の縁部に縫い付け、係止帯部３１と連結帯部３２との重ね合わせ箇所にハトメ金具３３を加締め、連結帯部３２をスリーブ２１に縫い付けることで容易に製造でき、しかも、ハトメ金具３３を容易に交換できる。
【００３３】
また、スリーブ２１の端部に縫い付けられた厚手の補強スリーブ２１ａに連結帯部３２を縫い付けたので、ポール１２の弾性力が作用するポール係止部２２の耐久性を高めることができる。
【００３４】
また、ハトメ金具３３におけるポール１２の端部の挿入側が、外縁側から内縁側へ向かってポール１２の挿入方向へ次第に傾斜するすり鉢形状に形成されているので、スリーブ２１へ挿し込んだポール１２の端部をすり鉢形状部分でハトメ金具３３の中心へ案内させて円滑に挿入させることができる。これにより、設営のさらなる円滑化が図れる。
【００３５】
なお、上記実施形態では、ドーム状の屋根を有するドーム型テントを例にとって説明したが、本発明が適用可能なテントとしては、屋根が上方へ膨出する形状であれば、いかなる形状の屋根を有するものでも良く、例えば、変形ドーム状の屋根や箱型の屋根を有するものであっても良い。
【符号の説明】
【００３６】
１１  テント
１２  ポール
１３  シート
１６  ドーム屋根部（屋根部）
２１  スリーブ
２２  ポール係止部
３１  係止帯部
３２  連結帯部
３３  ハトメ金具
【図１】
0006047589.tif 000002
【図２】
0006047589.tif 000003
【図３】
0006047589.tif 000004
【図４】
0006047589.tif 000005